(57)【要約】【課題】建物開口部の上方に設けたシャッターケース内に、シャッターカーテンを巻回する巻取りシャフトをシャッターケースの左右ブラケット間に軸架し、該巻取りシャフトに回転力を与える開閉機を駆動側ブラケットに取付けた電動窓シャッターにおいて、上記シャッターケース内に開閉機を容易に取付けることができ、しかも取付けネジの数を減らすことができる開閉機取付構造を提供する。【解決手段】上記開閉機６には、駆動側ブラケット２に向けて開閉機支持金具１５を固定し、該支持金具１５の上部側に設けた係止爪１８を、駆動側ブラケット２に設けた係止部１７に係止すると共に、上記支持金具１５の下部側を、駆動側ブラケット２に設けた固定部２２に取付けネジ２０を介して取付け固定した。【選択図】    図１
2004300775.tif 000002
【特許請求の範囲】
【請求項１】
建物開口部の上方に設けたシャッターケース内に、シャッターカーテンを巻回する巻取りシャフトをシャッターケースの左右ブラケット間に軸架し、該巻取りシャフトに回転力を与える開閉機を巻取りシャフトと並列状に駆動側のブラケットに取付けた電動窓シャッターにおいて、上記開閉機には、駆動側ブラケットに向けて開閉機支持金具を固定し、該支持金具の上部側に設けた係止爪を、駆動側ブラケットに設けた係止部に係止すると共に、上記支持金具の下部側を、駆動側ブラケットに設けた固定部に取付けネジを介して取付け固定したことを特徴とする電動窓シャッターの開閉機取付構造。
【請求項２】
上記開閉機支持金具を、駆動側ブラケットに向けて開口する断面コ字状に形成し、該支持金具の上部側突出片の先端に、上方に折曲した引掛け用突起からなる係止爪を形成して、駆動側ブラケットに設けた引掛け穴からなる係止部に引掛係止すると共に、支持金具の下部側突出片と駆動側ブラケットに設けた固定部とを、開閉機の回転軸心と直交方向の取付けネジで取付け固定したことを特徴とする請求項１記載の電動窓シャッターの開閉機取付構造。
【発明の詳細な説明】
【０００１】
【発明の属する技術分野】
本発明は、建物開口部に設けた電動窓シャッターにおけるシャッターカーテンの巻取シャフトに回転力を与える開閉機の取付構造に関する技術分野に属するものである。
【０００２】
【従来の技術】
一般に、マンション、住宅等の建物開口部には、昇降するシャッターカーテンで開口部を開閉する電動窓シャッターを設けたものが知られているが、このような電動窓シャッターは、開口部の上方に設けたシャッターケース内に、シャッターカーテンを巻回する巻取りシャフトと、この巻取りシャフトにチエン伝動等によって回転力を与える開閉機とを並列状に配設して、回転する巻取りシャフトでシャッターカーテンを巻取り昇降させている。
【０００３】
そして上記の電動窓シャッターでは、開閉機をシャッターケース内に取付けるに当たり、従来は、開閉機の一端にある取付部をシャッターケースの駆動側ブラケットに、上下の複数個所でネジ止め固定している。
【０００４】
ところが、開閉機の一端を駆動側のブラケットにネジ止めするには、巻取りシャフトのスプロケットと開閉機のスプロケットとの間に懸回される連動チエンを引張りながらブラケット側にある複数のネジ孔を探して取付けネジを挿通しなければならないので、取付け操作が面倒であり、しかも、開閉機の一端から駆動側のブラケットのネジ孔に向けて挿通した取付けネジが、開閉機の回転軸芯と平行状になり、回転方向も同一となるので、開閉機の回転に伴って開閉機の取付けネジに弛みが生ずるという問題があった。
【０００５】
【本発明が解決しようとする課題】
本発明は、上記のような実情に鑑み、このような問題点を解消すべく創作されたものであって、その意図するところは、開閉機の一端部をシャッターケースの駆動側ブラケットに取付けネジでネジ止めするものであっても、いちいち取付けネジ孔を探したりすることなく容易に取付けることができて、取付けネジの数を減らすことができ、しかも開閉機の回転によるネジの弛み等の影響の少ない電動窓シャッターの開閉機取付構造を提供しようとするものである。
【０００６】
【課題を解決するための手段】
上記の課題を解決するため、本発明が講じた技術的手段は、建物開口部の上方に設けたシャッターケース内に、シャッターカーテンを巻回する巻取りシャフトをシャッターケースの左右ブラケット間に軸架し、該巻取りシャフトに回転力を与える開閉機を巻取りシャフトと並列状に駆動側のブラケットに取付けた電動窓シャッターにおいて、上記開閉機には、駆動側ブラケットに向けて開閉機支持金具を固定し、該支持金具の上部側に設けた係止爪を、駆動側ブラケットに設けた係止部に係止すると共に、上記支持金具の下部側を、駆動側ブラケットに設けた固定部に取付けネジを介して取付け固定したことを特徴とし、また、上記開閉機支持金具を、駆動側ブラケットに向けて開口する断面コ字状に形成し、該支持金具の上部側突出片の先端に、上方に折曲した引掛け用突起からなる係止爪を形成して、駆動側ブラケットに設けた引掛け穴からなる係止部に引掛係止すると共に、支持金具の下部側突出片と駆動側ブラケットに設けた固定部とを、開閉機の回転軸心と直交方向の取付けネジで取付け固定したことを特徴とするものである。
【０００７】
【発明の実施の形態】
次に本発明の実施の形態を添付した図面に基いて詳細に説明する。まず、図１〜図３において、１は建物の開口部上方に架設される電動窓シャッターのシャッターケースであって、このシャッターケース１は、左右一対のブラケット２、２と、このブラケット２、２間に固定される骨組みアングル３、３、およびこれらの骨組みアングル３、３の上面、前面等を被うケース板４によって構成されており、ブラケット２、２の背面側にある躯体取付け面２ａ、２ａによって開口部上方の躯体に取付けられている。
【０００８】
上記シャッターケース１の内部には、その略中央部に、シャッターカーテンを巻回する巻取りシャフト５が左右のブラケット２、２間に軸架されており、また、巻取りシャフト５の屋外側斜め下方には、巻取りシャフト５に回転力を付与する開閉機６が巻取りシャフト５と並列状に配設されている。
【０００９】
上記開閉機６を取付ける駆動側のブラケット２には、巻取りシャフト５と対応する位置にシャフトスプロケット７が回動自在に軸支され、巻取りシャフト５の駆動側端部がこのシャフトスプロケット７に係脱自在に連結されている。そして開閉機６のモータスプロケット８と上記シャフトスプロケット７との間に連動チエン９を巻回して開閉機６からの回転力を巻取りシャフト５に伝達し、巻取りシャフト５の正転、逆転により、シャッターカーテンを昇降させるようになっている。
【００１０】
上記開閉機６は図４で示すように、細長状に形成された本体ケース１０の内部にモータ部、センサー部、マイコン部等からなる開閉機ユニットが内装されており、本体ケース１０の長さ方向の一端、すなわち駆動ブラケット２側の端部には、出力軸１１を介して前記モータスプロケット８が嵌着されており、また本体ケース１０の他端には、電源ケーブル１２、操作スイッチコード１３が連結されている。１４は非常開放レバーである。
【００１１】
そして上記開閉機６には、駆動側のブラッケト２に向けて開閉機支持金具１５が固定されており、この開閉機支持金具１５によって駆動側のブラッケト２に固定されている。上記開閉機支持金具１５は、図５で示すように、駆動側のブラッケト２に向けて開口する断面コ字状に形成されており、その上部側突出片１５ａと下部側突出片１５ｂとの対向間に前記モータスプロケット８が位置している。
【００１２】
そして上部側突出片１５ａの先端一側には、、上方に向けて折曲した引掛け用の突起１６が形成されており、この引掛け用の突起１６が駆動側のブラッケト２に設けた係止部１７に係止する係止爪１８となっている。なお引掛け用の突起１６は、上端側が突出片１５ａの突出方向に向けて僅かに弓なり状に湾曲するとともに、先端部が三角状の尖端となっている。
【００１３】
また、駆動側のブラッケト２には、引掛け用の突起１６と対応する位置に、引掛け穴１９が形成され、この引掛け穴１９が前記係止爪１８と係止する係止部１７となっている。なお上記引掛け穴１９は上端側に縮小する台形状に形成され、縮小した上端部が引掛け用の突起１６と略同じ幅となっていて、係止爪１８を係止部１７に係止させたときには、引掛け用の突起１６が引掛け穴１９の縮小した上端側に嵌入して位置決めされる（図２参照）。
【００１４】
一方、開閉機支持金具１５の下部側にある下部側突出片１５ｂには、取付けネジ２０の挿通孔２１が形成されており、また駆動側のブラッケト２に設けた固定部２２にも上記取付けネジ２０の固定孔２３が形成されている。
【００１５】
そして前記引掛け用の突起１６からなる係止爪１８を、ブラッケト２に設けた引掛け穴１９からなる係止部１７に係止させたときには、上記挿通孔２１と固定孔２３とが合致した状態となり、この挿通孔２１と固定孔２３とに開閉機の回転軸心と直交方向の取付けネジ２０を螺着して、開閉機６を駆動側ブラッケト２の固定部２２に位置決め固定するようになっている。
【００１６】
上記の如き構成において、シャッターケース１内に開閉機６を取付けるに当たり、開閉機６に固定した開閉機支持金具１５の上部側にある係止爪１８を、駆動側のブラケット２に設けた係止部１７に係止すれば、開閉機支持金具１５の下部側にある挿通孔２１と、ブラケット２の固定部２２にある固定孔２３とが合致するので、いちいちネジ穴を探したりすることなく、取付けネジ２０を挿入して取付け固定することができる。しかも開閉機支持金具１５の下部側のみを取付けネジ２０で固定すれば良いのでる、従来に比べて取付けネジを減らすことができる。
【００１７】
また、開閉機支持金具１５の上部側にある係止爪１８は、開閉機支持金具１５を断面コ字状に形成し、その上部側突出片１５ａの先端に設けた引掛け用突起１６で形成したので、駆動側ブラケット２に設けた引掛け穴１９からなる係止部１７に係止する際は、図６で示すように、まず開閉機６をブラケット２側に傾け、引掛け用突起１６の先端を引掛け穴１９に引掛け、次いで矢印イ方向に掬い上げるように挿入すれば簡単かつ確実に引掛け穴１９に係止させることができる。
【００１８】
そして支持金具１５の下部側突出片１５ｂを駆動側ブラケット２の固定部２２に取付け固定する取付けネジ２０が開閉機６の回転軸心と直交方向となっているので、シャッターカーテンの昇降時に開閉機６の出力軸１１が回転しても、取付けネジ２０に弛み等が生ずるのを可及的に少くすることができる。
【００１９】
【発明の効果】
本発明は上記のように構成したので、シャッターケース内に開閉機を取付けるに当り、請求項１の発明では、開閉機支持金具の上部側に設けた係止爪を、駆動側ブラケットに設けた係止部に係止すれば、開閉機支持金具の下部側のみを駆動側ブラケットに設けた固定部に取付けネジを介して固定すれば良いので、従来のように、いちいち複数の取付けネジ孔を探して固定する必要はなく、取付け操作が容易になるうえ、取付けネジの数を減らすことができる。
【００２０】
また、請求項２の発明によれば、断面コ字状に形成した開閉機支持金具には、その上部側突出片の先端に、上方に折曲した引掛け用突起によって係止爪が形成されているので、この係止爪を、駆動側ブラケットに設けた引掛け穴からなる係止部に、掬い上げるよう挿入するのみで容易に位置決め固定することができる。
【００２１】
そして、支持金具の下部側突出片と駆動側ブラケットに設けた固定部とを開閉機の回転軸心と直交方向の取付けネジで固定したので、開閉機の回転によって生ずる取付けネジの弛み等の影響を出来るだけ少なくすることができる。
【００２２】
【図面の簡単な説明】
【図１】本発明に係るシャッターケースの内部を示す正面図である。
【図２】シャッターケースの側面図である。
【図３】図１のＡ−Ａ断面図である。
【図４】開閉機の拡大背面図である。
【図５】（１）開閉機支持金具の拡大正面図ある。
（２）同上側面図ある。
【図６】引掛け突起を引掛け穴に引掛ける操作過程を示す説明図である。
【符号の説明】
１    シャッターケース
２    ブラケット
３    骨組みアングル
４    ケース板
５    巻取りシャフト
６    開閉機
７    シャフトスプロケット
８    モータスプロケット
９    連動チエン
１０    本体ケース
１１    出力軸
１２    電源ケーブル
１３  操作スイッチコード
１４  非常開放レバー
１５    開閉機支持金具
１６  引掛け用突起
１７  係止部
１８  係止爪
１９    引掛け穴
２０    取付けネジ
２１  挿通孔
２２  固定部
２３    固定孔
【図１】
2004300775.tif 000003
【図２】
2004300775.tif 000004
【図３】
2004300775.tif 000005
【図４】
2004300775.tif 000006
【図５】
2004300775.tif 000007
【図６】
2004300775.tif 000008